(57)【特許請求の範囲】
【請求項１】
生物学的分析システムであって、
当該生物学的分析システムは：
少なくとも２つの生物学的分析デバイス（４，６，８）を有し、各生物学的分析デバイスは、
各生物学的分析デバイスの一方の側に、各生物学的分析デバイスに識別子を有するチューブ保持ラック（２０）を入れるための入口（１４，１６，１８）を有し、該入口は、当該生物学的分析システムの入口でもあり、かつ、
各生物学的分析デバイスの前記の一方の側に、各生物学的分析デバイスからチューブ保持ラック（２０）を取り出すための出口（２４，２６，２８）を有し、該出口は、当該生物学的分析システムの出口でもあり；
当該生物学的分析システムは：
コンベア（１０）を有し、該コンベアは各生物学的分析デバイスのもう一方の側にあり、かつ、前記コンベアは閉じた回路を定めて、該閉じた回路に沿って前記チューブ保持ラック（２０）を搬送するようになっており；かつ、
コントローラー（１２）を有し、該コントローラーは、前記識別子を用いて前記チューブ保持ラック（２０）の流れを管理し；
各生物学的分析デバイスはさらに、
前記入口（１４，１６，１８）に、前記識別子を読み取るための入口読取機を有し、該入口読取機は前記コントローラーへと前記識別子を送り、かつ、前記コントローラーは、メモリーに前記識別子を格納して、前記チューブ保持ラックの前記流れを管理し、かつ、
各生物学的分析デバイスの前記のもう一方の側に、交換領域を有し、該交換領域において、前記チューブ保持ラック（２０）が前記コンベアから前記生物学的分析デバイスへと入れられるか、または、前記チューブ保持ラック（２０）が前記生物学的分析デバイスから前記コンベアの上へと取り出され、かつ、
前記コンベア（１０）はさらに、前記コンベア（１０）上で前記チューブ保持ラック（２０）の前記識別子を読み取るためのコンベア側読取機を有し、各コンベア側読取機は、各生物学的分析デバイスの前記交換領域にあり、
前記コンベア側読取機は、前記コントローラー（１２）へと前記識別子を送るように構成されており、かつ、
前記コントローラー（１２）は、
チューブ保持ラック（Ｉ）が前記コンベア上に導入され、かつ、
該チューブ保持ラック（Ｉ）の識別子（ｉ）が、前記コンベア側読取機によって読み取られかつ前記コントローラー（１２）へと送られ、かつ、
該コントローラー（１２）によって受け取られた該識別子（ｉ）が、該コントローラー（１２）の前記メモリーに存在しない場合に、
該チューブ保持ラック（Ｉ）に対して特定の取扱を適用するように構成されている、
前記生物学的分析システム。
【請求項２】
前記コントローラー（１２）が、適用されるべき特定の取扱に依存して、当該生物学的分析システムの前記入口によって受け入れられる前記チューブ保持ラック（２０）と比べて、異なるレベルの優先順位で前記の特定の取扱を適用するように構成されている、請求項１に記載の生物学的分析システム。
【請求項３】
前記コントローラー（１２）が、特定の取扱を受けるべき前記チューブ保持ラック（Ｉ）を優先事項として取り扱うように構成されており、かつ、そのチューブ保持ラックの識別子は、前記チューブ保持ラックが試験を受けるべきチューブ（２２）を含有していることを示している、請求項１または２に記載の生物学的分析システム。
【請求項４】
前記コントローラー（１２）が、特定の取扱を受けるべき前記チューブ保持ラック（Ｉ）を取り扱うように構成されており、かつ、そのチューブ保持ラックの識別子は、前記チューブ保持ラックが、対照が保存される方式および／または前記生物学的分析デバイス（４，６，８）のチェックのスケジュールに依存するレベルの優先順位で対照チューブを含有することを示している、請求項１〜３のいずれか一項に記載の生物学的分析システム。
【請求項５】
前記コントローラー（１２）が、特定の取扱を受けるべき前記チューブ保持ラック（Ｉ）を取り扱うように構成されており、かつ、そのチューブ保持ラックの識別子は、前記チューブ保持ラックが、試薬が保存される方式および／または前記生物学的分析デバイス（４，６，８）のうちの１つ以上に未だに存在する試薬の量に依存するレベルの優先順位で試薬のチューブ（２２）を含有することを示している、請求項１〜４のいずれか一項に記載の生物学的分析システム。
【請求項６】
前記入口読取機および前記コンベア側読取機が、光学式読取機または無線読取機である、請求項１〜５のいずれか一項に記載の生物学的分析システム。
【請求項７】
請求項１〜６のいずれか一項に記載の生物学的分析システムを用いた生物学的分析方法であって、当該生物学的分析方法は、チューブ保持ラック（Ｉ）を前記生物学的分析システムの前記コンベアの上へと導入するステップを有し、
前記コンベア側読取機によって読み取られた前記チューブ保持ラック（Ｉ）の識別子（ｉ）が、前記コントローラー（１２）の前記メモリー上に存在しない場合に、該コントローラー（１２）によって該チューブ保持ラック（Ｉ）に対して特定の取扱が適用される、
前記生物学的分析方法。
【発明の詳細な説明】
【技術分野】
【０００１】
本発明は、生物学的分析およびその自動化の分野に関する。
【背景技術】
【０００２】
生物学的分析実験室では、試料の流れの最適な管理が重要な要因となってきている。これは、実験室が大きければ大きいほど、分析されている生体サンプルの流れの管理を最適化するのがいっそう複雑となり、かつ、いっそう必要とされるからである。考慮すべき特に重要な２つの基準が存在する：試料取扱時間と、各行為が実験室スタッフに課す仕事量である。
【０００３】
これら基準にしたがい性能を改善するために、試料のチューブを保持するラックを輸送するための手段を介して互いに連通した多数の生物学的分析デバイスを配置することに基づく生物学的分析システムが開発されてきた。輸送手段を介していくつかのデバイスを組み合わせることは、故障および問題の多い状況のいっそう良好な管理を可能にし、かつ、特定の転換流れ管理計画が実施されることを可能にする。
【０００４】
これらシステムは、概して、ラック用入口、入口におけるラックをそれに接続されたデバイスのうちの１つに分配する輸送手段および分析されたラック用の出口を有する。特定のシステムは、入口および／または出口にバッファーゾーンを有していてもよく、かつ、流れ管理アルゴリズムを採用してもよい。
【発明の概要】
【発明が解決しようとする課題】
【０００５】
しかしながら、これらシステムは、それらの流れ管理およびそれらを特徴付けるバルクの両方に関して改善され得る。具体的には、特定のものとして言及されるラック（すなわち、従来の試験チューブとは異なるレベルの優先順位で取り扱われ／処理される必要があるもの）を取り扱う／処理する効果的な手段は未だに存在しない。ソリューションは存在し、かつ、優先ラック用の特定の入口を作成することにあり、かつ、このことは、バルクに関して問題を呈する。
【課題を解決するための手段】
【０００６】
本発明は、状況を改善することを求める。その目的のために、それは生物学的分析システムを提案し、当該生物学的分析システムは、少なくとも１つの入口および１つの出口、閉じた回路を定めるコンベアによって互いに接続された少なくとも２つの生物学的分析デバイスを有し、各生物学的分析デバイスは、コンベアを用いてチューブ保持ラックを交換するための領域を有し、当該生物学的分析システムのコンベアおよび少なくとも１つの入口は、少なくとも１つのチューブ保持ラックの識別子の読取機を有し、該読取機は、それが読み取った識別子を当該生物学的分析システムのコントローラーへと伝えるように設計され、該コントローラーは、コンベアの読取機によって識別されたチューブ保持ラックに特定の取扱を適用するように設計され、その識別子は、当該生物学的分析システムの入口読取機によって先行して読み取られていなかったものである。
【０００７】
この生物学的分析システムは、コンパクトさに関して利益が得られることを可能にするので特に有利であり、当該システムの入口および出口は、それを構成するデバイスの入口および出口によって具現化される。さらに、当該システムのためにいくつかの入口およびいくつかの出口を有することは、実験室スタッフの仕事量が最適化されることを可能にする流れ管理計画を実行することを可能にする。
【０００８】
種々の代替的な形態によれば、本発明によるアクセサリーは、次の特徴のうちの１つ以上を示してもよい：
−  コンベアは、チューブ保持ラック交換領域の数だけ読取機を有し、
−  コントローラーは、特定の取扱を受けるべきチューブ保持ラックの識別子に依存する特定の取扱を適用するように設計され、
−  コントローラーは、適用されるべき特定の取扱に依存する当該生物学的分析システムの入口によって受け入れられるチューブ保持ラックと比べて、異なるレベルの優先順位で特定の取扱を適用するように設計され、
−  コントローラーは、特定の取扱を受けるべきチューブ保持ラックを優先事項として取り扱うように設計され、かつ、そのラック識別子は、それが試験を受けるべきチューブを含有していることを示しており、
−  コントローラーは、特定の取扱を受けるべきチューブ保持ラックを取り扱うように設計され、かつ、その識別子は、それが、対照が保存される方式および／または生物学的分析デバイスのチェックのスケジュールに依存するレベルの優先順位で対照チューブを含有することを示しており、
−  コントローラーは、特定の取扱を受けるべきチューブ保持ラックを取り扱うように設計され、かつ、その識別子は、それが、試薬が保存される方式および／または生物学的分析デバイスのうちの１つ以上に未だに存在する試薬の量に依存するレベルの優先順位で試薬のチューブを含有することを示しており、
−  読取機は、光学式読取機または無線読取機であり、かつ、
−  各生物学的分析デバイスは、チューブ保持ラック用の少なくとも１つの入口および１つの出口を有し、少なくとも２つの生物学的分析デバイスの入口はそれぞれ、当該生物学的分析システムへのチューブ保持ラック用の入口を形成し、かつ、それぞれ、各々の読取機を有し、かつ、少なくとも２つの生物学的分析デバイスの出口はそれぞれ、当該生物学的分析システムからのチューブ保持ラック用の出口を形成し、かつ、各生物学的分析デバイスの交換領域は、この生物学的分析デバイスの入口および出口とは別個のものである。
【０００９】
本発明はまた、生物学的分析方法に関し、当該生物学的分析方法は、少なくとも１つのチューブ保持ラックを先行する請求項の一項に記載の生物学的分析システムの中へと導入すること、このラックがコンベアの読取機を通過して移動するにつれて、かつ、この識別子が生物学的分析システムの入口における読取機によって事前に読み取られていないときに、ラック識別子を読み取ること、このチューブ保持ラックに特定の取扱を適用することを伴う。
【図面の簡単な説明】
【００１０】
図面からとられる説明的かつ非限定的な例からとられる次の説明を読めば、本発明のさらなる特徴および利点がいっそう良好に明らかになるであろう。
【００１１】
【図１】図１は、本発明による生物学的分析システムの斜視図を描いている。
【図２】図２は、図１を上から見た図を描いている。
【発明を実施するための形態】
【００１２】
図面および後に続く説明は、本質的には、特定の性質の要素を含有する。それらは、したがって、本発明をいっそうよく理解するのに役立つだけでなく、適切な場合はその定義に貢献するのに役立つ。
【００１３】
図１は、本発明による生物学的分析システム２の斜視図を描いており、かつ、図２は、図１を上から見た図を描いている。この図において見られ得るように、生物学的分析システム２は、３つの生物学的分析デバイス４、６および８、スライド染色／塗り広げデバイス９、コンベア１０ならびにコントローラー１２を有する。
【００１４】
ここで説明される例では、生物学的分析デバイス４、６および８は、血液分析器タイプのものである。生物学的分析デバイス４（または、それぞれ６、８）は、分析されるチューブ２２を保持するラック２０を受け入れるステージ１４（または、それぞれ１６、１８）を有する。生物学的分析デバイス４（または、それぞれ６、８）はまた、分析されたチューブ２２のラック２０を受け入れるステージ２４（または、それぞれ２６、２８）を有する。生物学的分析デバイス４（または、それぞれ６、８）はまた、ラック２０がコンベア１０の上に移送されることを可能にし、または、ラック２０を前記コンベアから受け入れることが可能である交換領域３０（または、それぞれ３２、３４）を有する。
【００１５】
３つの血液分析器４，６，８は、チューブ２２に含有される血液の試料を測定することが可能である。各装置は、ローディングステージまたはコンベアのいずれかの上に位置するラック２０に含有されたチューブ２２を測定装置の後ろに持ち上げる。血液試料測定が完了したとき、装置はチューブをラックに戻す。
【００１６】
スライド染色／塗り広げデバイス９は、分析されることが意図される血液のスライドを調製する。まず、ラック２０に保持されたチューブ２２から、ある量の血液が採取される。次に、血液サンプルは、スライドの上に配置され、スライド全体に拡げられて薄い層を取得し、その後で乾燥される。試料は、その後で染色される。
【００１７】
コンベア１０は閉じた回路を定め、かつ、ここで説明される例では、２つの経路３６および３８を有するループ形のラインを有する。ライン３６は、交換領域３０、３２および３４のそれぞれに接続され、ラック２０が経路３６から、コンベア１０の上に導入され、または、それから回収されるようになっている。コンベア１０は、経路３６を１つの方向に駆動させ、かつ、ライン３８をライン経路３６の駆動の方向とは逆方向に駆動させる。
【００１８】
コンベア１０はまた、２つの戻しデバイス４０および４２を有し、該２つの戻しデバイス４０および４２はそれぞれ、経路３６の駆動の方向に関してデバイス４の下流およびデバイス８の上流に位置する。
【００１９】
戻しデバイス４０の目的は、ラック２０を経路３６から経路３８へと移送することであり、かつ、戻しデバイス４２の目的は、１８０°の回転によってラック２０を経路３６から経路３８へと移送することである。したがって、交換領域３０、３２または３４のいずれを介してラック２０がコンベア１０の上へと導入されても、このラック２０は、輸送ルールにしたがって、デバイス４、６または８のいずれか１つへと送られ得る。この性能は、それを実施するためにどのような手段が採用されるにせよ、コンベア１０が閉じた回路を定めるという事実を特徴付ける。
【００２０】
代替案として、コンベア１０は、独立して駆動され、かつ、戻しデバイス４０および４２によって接続される、２つのライン３６ならびに３８の形で生産されてもよい。
【００２１】
したがって、ステージ１４、１６および１８は、システム２の入口を形成し、ステージ２４、２６および２８は、システム２の出口を形成し、かつ、デバイス４、６および８とコンベア１０との間の交換のための交換領域３０、３２ならびに３４は、システム２の入口および出口とは別個のものである。
【００２２】
システム２の各入口は、ラック２０上のラック識別子を読み取るように設計された読取機を有する。これら読取機は、ステージ１４、１６および１８付近の各生物学的分析デバイス４，６，８のケースに配置される。識別子は、所定のラックのチューブについて実行されるべき作動および／または試験を決定すること、ならびに、必要であれば生物学的分析デバイスの間のラックの移送を管理することのために、コントローラー１２によって用いられてもよい。
【００２３】
ここで説明される例では、コンベア１０は、各交換領域３０（または、それぞれ３２、３４）に、入口１４、１６および１８における読取機に類似する読取機５０（または、それぞれ、５２、５４）を有し、コンベア１０によって輸送されているラック２０を識別し、かつ、コントローラー１２と通信して、ラック２０が交換領域３０（または、それぞれ３２、３４）に面するたびに実行すべき行為を決定することを可能にする。代替案としては、コンベア１０は、単一の読取機を有し得る。
【００２４】
読取機は、ラックのアイデンティティーに関する情報を回収し得る任意の手段によって（例えば、光コード（バーコードもしくはＱＲコード）または無線タグ（ＲＦＩＤなど）を読み取ることによって）具現化されてもよい。
【００２５】
種々の代替的な形態では、１つ以上のデバイスの入口および出口は、相互に交換されてもよく、それらの間の適切な間隔を有して１つの同一のステージ上に生産されてもよい。同様に、構成によっては、交換領域は、これらが互いとは明確に区別されたままであるならば、１つ以上のデバイスの入口および出口にいっそう近く配置されてもよい。入口および／または出口のうちのいくつかは、省略されてもよい。
【００２６】
ここで説明される例では、ラック２０に保持されたチューブ２２に含有される試料は、生物学的分析デバイス（その中に、かかるラックが、コンベア１０へと移送される前またはコンベア１０を介して通過することなくステージ２４、２６もしくは２８を介して直接出る前に、システム２の中へと導入される）における分析に供されてもよく、入口（該入口を介してそれが導入された）から関連するデバイスの交換領域に向けて直接移送されてもよい。
【００２７】
ここで説明される例におけるコントローラー１２はコンピューターであり、該コンピューターは、従来の様に、ディスプレイ、ディスパッチャー、メモリー、および、それが生物学的分析デバイスと通信することを可能にするネットワークインターフェースを有する。
【００２８】
メモリーは、デジタルデータを受け入れるのに適した任意のタイプのデータ格納デバイスであってもよい：ハードディスク、ソリッドステートドライブ（ＳＳＤ）または任意のその他の形態のフラッシュメモリー、ランダムアクセスメモリー、磁気ディスク、ローカルに分配された、または、クラウドにおけるストレージなど。デバイスによって計算されたデータは、メモリー２に類似の、任意のタイプのメモリー上に格納されてもよく、かかるメモリー中に格納されてもよい。これらデータは、デバイスがそのタスクを完了した後で消去されてもよく、保存されてもよい。
【００２９】
ディスパッチャーは、コントローラー１２の機能を実施するために、メモリーに直接的または間接的にアクセスする。それは、１つ以上のプロセッサー上で実行される適切なコンピューターコードの形態で生産されてもよい。プロセッサーが意味するものは、コンピューターデータを処理するように設計された任意のプロセッサーである。かかるプロセッサーは、パーソナルコンピューター用のマイクロプロセッサー、ＦＰＧＡもしくはＳｏＣ（システムオンチップ）タイプの専用チップ、コンピューティンググリッドリソース、マイクロコントローラーの形態で、または、以下に記載の実施形態について必要とされる演算能力を提供することが可能な任意のその他の形態で、任意の既知の方法で生産されてもよい。これら要素のうちの１つ以上はまた、ＡＳＩＣのような専用電子回路の形態で生産されてもよい。１つ以上のプロセッサーおよび１つ以上の電子回路の組み合わせもまた、想定されてもよい。
【００３０】
コントローラー１２は、生物学的分析デバイス４、６および８に接続されて、実行された分析および進行中の分析ならびにこれらデバイスに受け入れられたラック２０のステータスに関するすべてのデータにアクセスし、かつ、コンベア１０にも接続されて、特にこのコンベアがどのラック２０を運搬しているのかを知る。
【００３１】
したがって、コントローラー１２は、取り扱われている最中のラック２０のステータス、進行中の分析および既に実行された分析のステータスならびにシステム２の入口において受け入れられるラック２０について予定される分析を特徴付けるすべてのデータに対するアクセスを有することによって、生物学的分析システム２全体のラック２０の流れを組織化し得る。
【００３２】
コントローラー１２は、したがって、デバイスの仕事量ステータス、生物学的分析システム２の仕事量を管理するための計画、生物学的分析システム２と関係するスタッフの仕事量の分配、必要とされる追加の分析、故障、ライン上にある分析デバイスの数などにしたがって、生物学的分析デバイス４、６および８のそれぞれの仕事量ステータスを判定し、かつ、１つのデバイスから別のものへのコンベア１０上のラック２０の移送を命令するような立場にある。
【００３３】
仕事量ステータスが意味するものは、生物学的分析デバイスが受け入れるラックの総数であり、該総数は、かかるデバイスについて意図されたコンベア上のラックの数に追加される。所定の生物学的分析デバイスの仕事量ステータスは、この数が所定の量を越えるとき、「過負荷」であると考えられる。この所定の量は、多数のパラメーター（システムの予期される作業量、関連するデバイスの撹拌機（単数）または撹拌機（複数）上の自由空間の数、１つのデバイスから別のものへとラックを移動させるのにかかる平均時間など）に基づいていてもよい。
【００３４】
コントローラー１２は、どのラックが、それらがシステム２の中に導入されたもの以外の生物学的分析デバイスによって引き継がれるべきかを決定して、作業量を改善し、かつ／または、計測できないものを考慮し、かつ、分析されたラックについての出口を決定するタスクを有する。コントローラー１２は、したがって、１つ以上の現行の仕事量管理計画および１つ以上の出口管理計画を実施してもよい。さらに、見られるように、コントローラー１２によってラックの管理を集約することは、従来の分析チューブのものとは異なるレベルの優先順位で取り扱われる／処理されるべき特定のラックの革新的な管理を実施することを可能にする。
【００３５】
具体的には、上記で見られたように、入口１４、１６または１８を介してシステム２の中へと導入される各ラック２０は、かかる入口における読取機によって識別される。そのことは、コンベア１０上に配置され、かつ、これら入口のうちの１つを介して導入された任意のラック２０が、コントローラー１２のメモリーに存在する識別子を有することを意味する。逆に、そのことは、識別子がコントローラー１２のメモリーに存在することなく読取機５０、５２または５４のうちの１つによって読み取られたかも知れないラック２０が、システム２の入口のうちの１つを介して導入されたのではなく、コンベア１０の上に直接配置されたことを意味する。
【００３６】
したがって、コンベア１０は、特定のラック用の入口として用いられ得、これらラックが優先事項として識別され、かつ、取り扱われる／処理されるのを可能にするのは、コントローラー１２にこれらの識別子が存在しないことである。
【００３７】
一旦特定のラックが優先的な特定のラックとして識別されると、コントローラー１２は、それを、かかるラックのチューブについて最も多い数の試験を実行し得るシステム２の生物学的分析デバイスに割り当てる。かかる場合における優先的な特定のラックは、定義によれば、システム２の中に受け入れられるその他のラックに優先する。それを、それが輸送しているチューブについて意図された試験を最も多い数実行し得る生物学的分析デバイスへと送ることによって、それはいっそう効率的に取り扱われる／処理される。なぜなら、最も多い数の試験が１つの同一の生物学的分析デバイス上で実行され、したがって、コンベア１０によって搬送されるのに消費される時間の量を減少させるからである。このルーティング基準はもちろん、例えば、特定のラックを最も仕事量の少ない生物学的分析デバイスに向けて方向付けるために、または、仕事量を実行され得る予定される試験の数と組み合わせる基準を用いるためにカスタマイズされてもよい。特定のラックを、それを取り扱う／処理する生物学的分析デバイスの中へと導入することは、コンベア１０またはステージ１４、１６もしくは１８上に存在する任意のその他のラックに優先する。したがって、特定のラックは、それを受け入れる生物学的分析デバイス内で優先事項として取り扱われる／処理されるであろう。
【００３８】
優先的な分析用に用いられることに加えて、特定のラックはまた、チェックおよび試薬の補充のようなその他のタイプの特定の作動を実行するために用いられてもよい。
【００３９】
具体的には、特定の生物学的分析デバイスは、規則的な間隔で有効とされるそれらの作動を有する必要があり、これは、対照試験値が予測されるチューブを含有するいわゆる対照ラックの使用によって実行される。対照ラック上の試験は、生物学的分析デバイスが正確に作動していることを確実にすることを可能にする。従来、これら試験は、「オンザフライ」で実行され得ず、かつ、システム２のすべてまたは一部をシャットダウンする必要があり、貴重なシステム作動時間を失う。なぜなら、すべての生物学的分析システムが、それらのうちの１つまたは２つが試験されているので、利用不能になるからである。
【００４０】
対照ラックの優先順位は、スタッフによってカスタマイズされ得、かつ、チェックのタイプに依存し得る。デフォルト設定は、対照ラックに、優先的な試験ラックよりは低いが、その他の試験ラックおよび試薬ラックよりは高い優先順位を割り当てる。
【００４１】
対照ラックを優先的なラックとして取り扱うこと／処理することは、システム２のダウン時間を制限し、かつ、作業量をさらに最適化することを可能にする。
【００４２】
さらに、ラックは、特定の試験用の試薬で生物学的分析デバイスを補充するのに用いられてもよい。従来、これら試薬は、各生物学的デバイス内のリザーバーに貯蔵され、かつ、その中で直接交換されるか、または、システム２とは別個のリザーバーに貯蔵され、かつ、オンデマンドで直接生物学的分析システムに分配される。
【００４３】
ここに記載される例では、この管理は、完全に時代遅れのものとされる。なぜなら、試薬がラック上を輸送され得るからである。したがって、専用貯蔵ユニットなしで、かつ、補充を進めるために生物学的分析デバイスをシャットダウンすることを伴わずに、試薬が必要なだけ置換され、かつ、あちこち動かされ得るので、有意な空間節約がなされる。
【００４４】
さらに、必要に応じて、高価な試薬を種々の生物学的分析デバイスの間で共有することが可能になる。最終的には、これら作動はコントローラー１２によって管理され、このことは、進行中の試験のステータスにしたがって試薬を有する特定のラックを優先させることが可能であることを意味する。 
【００４５】
例えば、それらの優先順位は：
−  試薬が保存される方式にしたがって変化してもよい。それが高感度試薬であれば、それは試験ラックに優先し；それが特定の保存手段を必要としない試薬であれば、それは試験ラックより低い優先順位を有し、
−  必要に応じて変化してもよい。試薬の補充前に未だに実行され得る試験の数を表す値が定められる。試薬の補充なしで未だに実行され得る試験の数が予め定められた値より上であれば、試薬を含有する特定のラックは試験ラックに優先しない。対照的に、試薬の補充なしで未だに実行され得る試験の数が予め定められた値より下であれば、試薬を含有する特定のラックは試験ラックに優先する。
【００４６】
さらに、コントローラー１２はまた、出口における特定のラックの優先順位を管理してもよい。例えば、それは、追加の分析が実行されることが必要な場合に、保存に伴う問題（対照試料、試薬など）を制御すること、および、特定の試験ラックの取扱／処理時間を最適化することに鑑みて、特定のラックができるだけ素早く外に出されることを命令してもよい。
【図１】
0006891284.tif 000002
【図２】
0006891284.tif 000003